(57)【要約】【課題】停電時に周囲を照らせる非常灯の構造を工夫し、既存の照明器具の給電部に簡単に設置できるようにする。【解決手段】天井１に取り付けられて、少なくとも、一対の刃受部２ａを有するシーリングボディ２と、一対の引掛刃３ａを有するシーリングキャップ３に接続された照明器具４との間に接続可能な非常灯付き接合器であって、所定形状の本体１１と、本体１１の一方の面から突出してシーリングボディ２の刃受部２ａに係合される引掛刃１２と、本体１１内部において、引掛刃１２に電気的に接続され、かつ、シーリングキャップ３の引掛刃３ａに接続される刃受部１３と、一対の引掛刃１２又は刃合部１３の電極間に接続されて、当該電極間の電源印加が停止された時に点灯する非常灯部とを備えるものである。【選択図】        図３
2008098102.tif 000002
【特許請求の範囲】
【請求項１】
所定の構造物に取り付けられて、少なくとも、一対の凹状の電極を有する電気器具用の電源被接続具と、一対の凸状の電極を有する電源接続具に接続された電気器具との間に接続可能な非常灯付き接合器であって、
所定形状の本体部と、
前記本体部の一方の面から突出して前記所定の構造物の電源被接続具の凹状の電極に係合される接続用の凸状の電極と、
前記本体部内部において、前記接続用の凸状の電極に電気的に接続され、かつ、前記電気器具の電源接続具の凸状の電極に接続される被接続用の凹状の電極と、
一対の前記接続用の凸状の電極間又は被接続用の凹状の電極間に接続されて、当該電極間の電源印加が停止された時に点灯する非常灯部とを備え、
前記本体部の接続用の凸状の電極の形状と、前記電気器具の電源接続具の凸状の電極の形状とが略同一であるとともに、
前記本体部の被接続用の凹状の電極の形状と、前記所定の構造物の電源被接続具の凹状の電極の形状とが略同一であることを特徴とする非常灯付き接合器。
【請求項２】
前記本体部の形状は、
前記構造物の電源被接続具の形状と略同一であることを特徴とする請求項１に記載の非常灯付き接合器。
【請求項３】
前記非常灯部は、
前記電源被接続具から印加される電源に基づいて、電力を蓄電するとともに、後段に電力を供給する蓄電部と、
前記蓄電部から供給される電力に基づいて発光する発光部と、
前記発光部の発光を制御する制御部とを備え、
前記制御部は、
前記電源被接続具からの電源印可状況を検出して、検出信号を出力する検出部と、
前記検出部が出力する検出信号に応じて、前記蓄電部から前記発光部への電力供給路を開閉する開閉部とを備えることを特徴とする請求項１に記載の非常灯付き接合器。
【請求項４】
前記発光部には、発光ダイオードが使用され、
前記発光ダイオードは、前記所定の構造物の天井又は内壁に向けて光を照射し、前記内壁又は天井に当たって反射した光が、当該構造物の室内を照らすことを特徴とする請求項３に記載の非常灯付き接合器。
【請求項５】
前記蓄電部には、二次電池が使用されることを特徴とする請求項３に記載の非常灯付き接合器。
【発明の詳細な説明】
【技術分野】
【０００１】
この発明は、電力供給停止時の非常用照明機能を備えたシーリング用のプラグコンセントに適用可能な非常灯付き接合器に関する。
【０００２】
詳しくは、非常灯部を備える本体部が、電気器具の電源接続具の凸状の電極と略同一形状の接続用の凸状の電極と、所定の構造物の電源被接続具の凹状の電極と略同一形状の被接続用の凹状の電極とを備え、停電時に周囲を照らせる非常灯を、所定の構造物の電源被接続具と電気器具の電源接続具との間に、電気工事等を要せず設置できるようにして、非常用照明を誰でも容易に、かつ低コストで設置できるようにしたものである。
【背景技術】
【０００３】
現在、停電時に照明が消えて室内が暗転することに起因する事故を防ぐ為、非常灯が設置されることがある。しかし、これらの非常灯は、工場や商業施設等のように人が集まる場所には多く設置されているが、一般住宅にはあまり設置されていない。
【０００４】
非常灯を設置されていない一般住宅では、懐中電灯等を所定の場所に常備し、非常用の照明としていることが多い。しかしこのような一般住宅では、ブレーカーが落ちたり停電が起こる等して、突然照明が消えた時、真っ暗な室内を懐中電灯を探して移動しなければならず、その間に何らかの障害物に当たったり、転倒したりするおそれがある。また、地震災害等による停電時には、停電後も激しい揺れが継続し、室内が真っ暗になった後に落下物が落ちてきたり、家具が転倒したりすることもある。従って、一般住宅においても、懐中電灯を常備するだけでは停電時の安全対策が充分であるとはいえない。
【０００５】
このような問題を解決する為、近年では、一般住宅向けの非常灯も多く開発されている。一般住宅向けの非常灯に関連して、特許文献１には非常灯付きの照明装置が開示されている。この照明装置によれば、通常時に、交流電源に基づいてランプ負荷を点灯させるＡＣ点灯回路と、非常時に、二次電池に基づいてランプ負荷を点灯させるＤＣ点灯回路とを備える照明装置において、所定以上の震度の地震発生時にはランプ負荷を一定時間点灯させるとともに、停電時と地震発生時等の各モードに応じて、ランプ負荷の出力を可変する。従って、自動的にランプを点灯させて安全を確保できるとともに、地震あるいは停電等の各々の場合に応じて光出力を調整することにより、限られた電気容量を有する二次電池を効率的に使用できるというものである。
【０００６】
【特許文献１】特開平９−１６３６２８号公報（第３及び６頁、図１）
【発明の開示】
【発明が解決しようとする課題】
【０００７】
しかし、従来例に係る非常灯付きの照明装置によれば、現在使用している照明器具に非常灯機能を付加しようとすると、従来の照明器具を取り除いて、非常灯付きの照明装置に交換しなければならず、従来から使用している照明器具が不要になり、資源の無駄に繋がる。また、非常灯付きの照明装置の種類が少ないと、趣向や用途に合わせたそれらの照明装置の選択ができないおそれがある。
【０００８】
因みに、非常灯機能を分離した構造の、例えば吊下げ型の照明器具の上部に設置されて、下方を照らすように構成された非常灯が考えられるが、下方に照明器具の照明傘がある場合が多く、この場合に光が遮断され、効率よく照明できないおそれがある。また、照明傘の影響を考慮して大きい形状の非常灯とすると、インテリアの一環と捉えられることが多い照明器具のデザイン性を損なう場合がある。
【０００９】
そこで本発明は、上述の問題に鑑み創作されたものであり、停電時に周囲を照らせる非常灯の構造を工夫し、既存の照明器具の給電部に簡単に設置できるようにするとともに、外観形状の小型化を図りつつも効率よく照明できるようにした非常灯付き接合器を提供することを目的とする。
【課題を解決するための手段】
【００１０】
この発明に係る非常灯付き接合器は、所定の構造物に取り付けられて、少なくとも、一対の凹状の電極を有する電気器具用の電源被接続具と、一対の凸状の電極を有する電源接続具に接続された電気器具との間に接続可能な非常灯付き接合器であって、所定形状の本体部と、本体部の一方の面から突出して所定の構造物の電源被接続具の凹状の電極に係合される接続用の凸状の電極と、本体部内部において、接続用の凸状の電極に電気的に接続され、かつ、電気器具の電源接続具の凸状の電極に接続される被接続用の凹状の電極と、一対の接続用の凸状の電極間又は被接続用の凹状の電極間に接続されて、当該電極間の電源印加が停止された時に点灯する非常灯部とを備え、本体部の接続用の凸状の電極の形状と、電気器具の電源接続具の凸状の電極の形状とが略同一であるとともに、本体部の被接続用の凹状の電極の形状と、所定の構造物の電源被接続具の凹状の電極の形状とが略同一であることを特徴とするものである。
【００１１】
この発明に係る非常灯付き接合器によれば、非常灯部を備える本体部の、接続用の凸状の電極の形状が、電気器具の電源接続具の凸状の電極の形状と略同一であるとともに、被接続用の凹状の電極が、所定の構造物の電源被接続具の凹状の電極の形状と略同一である。
【００１２】
従って、停電時に周囲を照らせる非常灯を、所定の構造物の電源被接続具と電気器具の電源接続具との間に、電気工事等を要せず簡単に設置できるので、非常用の照明を誰でも容易に設置できるとともに、低コストで設置できるようになる。
【００１３】
また、汎用性に優れ、様々な形状や明るさの照明保持具に設置できるので、照明器具の趣向や用途に影響を与えることなく、必要な箇所に設置することができるようになる。
【発明の効果】
【００１４】
この発明に係る非常灯付き接合器によれば、非常灯部を備える本体部が、電気器具の電源接続具の凸状の電極と略同一形状の接続用の凸状の電極と、所定の構造物の電源被接続具の凹状の電極と略同一形状の被接続用の凹状の電極とを備えるものである。
【００１５】
この構成により、停電時に周囲を照らせる非常灯を、所定の構造物の電源被接続具と電気器具の電源接続具との間に、電気工事等を要せず設置できるので、非常用照明を誰でも容易に、かつ低コストで設置できるようになる。
【発明を実施するための最良の形態】
【００１６】
続いて、この発明に係る非常灯付き接合器について、図面を参照しながら説明をする。
【実施例１】
【００１７】
まず、本発明に係る第１の実施例としての非常灯付き接合器の取付対象となる引掛シーリングローゼット１００について説明をする。図１は、引掛シーリングローゼット１００の構成例を示す斜視図である。図１に示す引掛シーリングローゼット１００は、シーリングボディ２、シーリングキャップ３を備え、電気器具の一例を構成する照明器具４を電源に接続させるとともに、構造物の一例を構成する天井１に保持するものである。
【００１８】
シーリングボディ２は、電源被接続具の一例を構成し、上面を天井１に接続され、例えば天井裏に配される電源接続線と導通する。シーリングボディ２の下面には、一対の凹状の電極の一例を構成する刃受部２ａが開口される。
【００１９】
刃受部２ａは、挿入部２ａ１と保持部２ａ２とを有し、上述の電源接続線と導通するようになされる。挿入部２ａ１は、係合される照明器具４の引掛刃３ａを内部に挿入できる幅に開口され、保持部２ａ２は、係合された引掛刃３ａが抜けないように保持できる幅に開口される。
【００２０】
引掛刃３ａは、一対の凸状の電極の一例を構成し、照明器具４を電源に接続させるとともに、天井１に保持するものである。引掛刃３ａは、導電性及び機械的強度に優れた素材、例えば鉄合金で構成される。引掛刃３ａは、この例では、端部に折曲部３ａ１を有するＬ字型に形成される。折曲部３ａ１は、刃受部２ａの挿入部２ａ１から挿入されて回転されると、保持部２ａ２に引っ掛かり、照明器具４を天井に保持する。引掛刃３ａは、シーリングキャップ３の上面に突出するように取り付けられる。
【００２１】
シーリングキャップ３は、電源接続具の一例を構成し、通常、照明器具４の上端部に備えられる。シーリングキャップ３は、吊り下げる照明器具４の重さに耐えられる素材、例えば強化プラスチックで所定形状に形成される。このようにして、引掛シーリングローゼット１００が構成される。以下で、引掛シーリングローゼット１００に取り付けられる、シーリングローゼットアダプタ１０の構成例について説明をする。
【００２２】
図２は、本発明に係る第１の実施例としてのシーリングローゼットアダプタ１０の構成例を示す斜視図である。図２に示すシーリングローゼットアダプタ１０は、非常灯付き接合器の一例を構成し、シーリングボディ２と、シーリングキャップ３との間に接続される。シーリングローゼットアダプタ１０は、本体１１、引掛刃１２、刃受部１３及び非常灯部５０を備えて構成される。
【００２３】
本体１１は、本体部の一例を構成し、例えばシーリングボディ２と略同一形状の直方体に形成される。本体１１は、耐熱性及び絶縁性に優れた素材、例えば強化プラスチックで構成される。本体１１の上面には、引掛刃１２が取り付けられる。
【００２４】
引掛刃１２は、接続用の凸状の電極の一例を構成し、本体１１の一方の面から突出して、シーリングボディ２の刃受部２ａに係合される。引掛刃１２は、導電性を有するとともに、機械的強度に優れた素材、例えば鉄合金で構成され、シーリングキャップ３の引掛刃３ａと略同一形状のＬ字型に形成される。本体１１の引掛刃１２と対向する面には、刃受部１３が開口される。
【００２５】
刃受部１３は、被接続用の凹状の電極の一例を構成し、本体１１内部において、引掛刃１２に電気的に接続され、かつ、シーリングキャップ３の引掛刃３ａに接続されるものである。刃受部１３は、シーリングボディ２の刃受部２ａの形状と略同一に形成される。
【００２６】
本体１１内部には、更に非常灯部５０が備えられ、引掛刃１２又は刃受部１３の一対の電極間に接続されて、当該電極間の電源印加が停止された時に点灯する。この例の非常灯部５０は、停電時に発光ダイオード５５を発光させるように動作する。
【００２７】
発光ダイオード５５は、発光部の一例を構成し、この例では本体１１の側面に配され、主に構造物の天井又は内壁に向けて光を照射する。照射された光は天井又は内壁に当たって反射し、当該構造物の室内を照らすようになる。以上のようにしてシーリングローゼットアダプタ１０が構成される。以下で、シーリングローゼットアダプタ１０の取付方法について簡単に説明をする。
【００２８】
図３は、シーリングローゼットアダプタ１０の取付例を示す斜視図である。図３に示すシーリングローゼットアダプタ１０を取り付ける場合、まず、シーリングキャップ３を、シーリングボディ２から取り外す。
【００２９】
次に、シーリングローゼットアダプタ１０の引掛刃１２を、シーリングボディ２の刃受部２ａの挿入部２ａ１から挿入した後、保持部２ａ２側に回転させて、シーリングローゼットアダプタ１０を、シーリングボディ２に連結させる。
【００３０】
このように連結されたシーリングローゼットアダプタ１０の刃受部１３に、照明器具４のシーリングキャップ３の引掛刃３ａを、上述と同様の手順で係合させる。以上のようにして、シーリングローゼットアダプタ１０を取り付けることができる。以下で、非常灯部５０の構成例について詳しく説明をする。
【００３１】
図４は、本発明に係る非常灯部５０の構成例を示す回路図である。図４に示す非常灯部５０は、二次電池５１、制御部（検出回路５３、スイッチ５４）、発光ダイオード５５、その他の電気部品を備え、例えば本体１１の内部及び側面に設置される。
【００３２】
二次電池５１は蓄電部の一例を構成し、シーリングボディ２から印加される電源に基づいて、電力を蓄電するとともに、後段に電力を供給する。二次電池５１は、変圧器Ｍ１により降圧され、ダイオードＤ１により整流された電流を取り込んで電荷を蓄える。二次電池５１には、ニッケル水素蓄電池、リチウムイオン電池等が用いられ、通常時に蓄電したシーリングボディ２からの電力を、停電時に後段に供給する。
【００３３】
二次電池５１の後段には、発光ダイオード５５が、この例においては６個接続され、停電時に、二次電池５１から供給される電力に基づいて発光する。発光ダイオード５５には、赤色、黄色、青色及び緑色ダイオード等を組み合わせる等して輝度を上げた物、又は、白色ダイオード等が用いられる。発光ダイオード５５の発光は、制御部により制御される。制御部は、検出回路５３、スイッチ５４を備えて構成される。
【００３４】
検出回路５３は検出部の一例を構成し、例えば、変圧器Ｍ１の降圧側であるコイルＬ２の両端に発生する電圧を入力して、シーリングボディ２からの電源印可状況を検出して、検出信号を出力する。検出回路５３は、例えば、シーリングボディ２から電源が印加されている時は、Ｈｉｇｈ信号を出力し、電源が印加されていない時がＬｏｗ信号を出力するように動作する。検出回路５３は、低消費電力用の素子、例えばＣＭＯＳ素子及び高抵抗素子により構成され、この例では二次電池５１を電源として動作する。検出回路５３から出力される検出信号はスイッチ５４に入力される。
【００３５】
スイッチ５４は、開閉部の一例を構成し、検出回路５３が出力する検出信号に応じて、二次電池５１から発光ダイオード５５への電力供給路を開閉する。スイッチ５４には、例えばＥＦＴ素子等が用いられ、この例では、検出回路５３がＬｏｗ信号を出力した時にオンし、発光ダイオード５５を発光させる。以上のようにして、非常灯部５０が構成される。以下で、停電時の非常灯部５０の動作例について説明をする。
【００３６】
図５は非常灯部５０の停電時の動作例を示す回路図である。図５に示す非常灯部５０は、二次電池５１を電源として動作するものである。
【００３７】
停電時にシーリングボディ２からの電源印加が停止されると、コイルＬ２（図４参照）の両端に発生する電圧が０Ｖになり、検出回路５３の入力電圧がＧＮＤ電位となる。検出回路５３はこれを検出し、Ｌｏｗ信号をスイッチ５４に出力する。
【００３８】
スイッチ５４は、Ｌｏｗ信号が入力されるとオンして二次電池５１の電力を発光ダイオード５５に印加する。電力を印加された発光ダイオード５５は、非常用の照明として発光するようになる。このようにして、停電時に非常灯部５０が動作する。
【００３９】
このように、第１の実施例に係るシーリングローゼットアダプタ１０によれば、非常灯部５０を備える本体１１が、照明器具４のシーリングキャップ３の引掛刃３ａと略同一形状の引掛刃１２と、天井１のシーリングボディ２の刃受部２ａと略同一形状の刃受部１３とを備えるものである。
【００４０】
従って、停電時に周囲を照らせる非常灯を、シーリングボディ２とシーリングキャップ３との間に、電気工事等を要せず設置できるので、非常用照明を誰でも容易に、かつ低コストで設置できるようになる。また、汎用性に優れ、様々な形状や明るさの照明器具に設置できるので、照明器具の趣向や用途に影響を与えることなく、必要な箇所に設置することができるようになる。
【００４１】
またこの実施例のように、本体１１を、シーリングボディ２と略同一形状に形成すると、外観的に違和感を与えることがなく、照明器具のデザイン性を損なわずに設置できるとともに、例えばペンダント型照明器具のぶら下がり長さに影響を与えずに設置できる。
【００４２】
また、発光ダイオード５５を本体１１の側面に配置し、内壁又は天井に向けて光を照射するようにすると、ペンダント型照明器具に接続される場合等に、照明傘に光を遮光されることなく、室内を効率よく照らすことができる。
【００４３】
またこの実施例のように、発光部に発光ダイオード５５を用いると、点灯と同時に最大光量を得ることができる。また、発光ダイオードは寿命が長く低消費電力である為、長時間照明が可能になる。
【００４４】
またこの例では、天井１に配される引掛シーリングローゼット１００に設置するようにしたが、それに限られることはなく、壁に配置される壁照明用プラグコンセントに応用することも可能である。このように、壁照明用プラグコンセントに応用すると、非常用照明を足下に近い位置に配置できるようになる。
【００４５】
またこの例では、発光部に発光ダイオード５５を使用したが、それに限られることはなく、発光部に電球等を使用するようにしてもよい。
【実施例２】
【００４６】
図６は、本発明に係る第２の実施例としてのシーリングローゼットアダプタ２０の構成例を示す斜視図である。図６に示すシーリングローゼットアダプタ２０は、非常灯付き接合器のその他の一例を構成し、本体２１、引掛刃２２、刃受部２３及び非常灯部５０を備え、第１の実施例と同様にして、シーリングボディ２とシーリングキャップ３との間に係合される。
【００４７】
本体２１は、この例では六角柱形状に形成される。この六角柱は、六角形の２つの面が側部になるように配される。この２つの面を結ぶ長方形の６面のうち１面は、上部の電極取付面に画定され、それに対向する１面は、下部の電極取付面に画定される。残る長方形の４面は、側部において発光部取付面に画定される。
【００４８】
本体２１は、耐熱性及び絶縁性に優れた素材、例えば強化プラスチックで構成され、上部の電極取付面に、一対のＬ字型の引掛刃２２を取り付けられるとともに、下部の電極取付面に、一対の刃受部２３を開口される。
【００４９】
本体２１内部には、非常灯部５０が備えられ、引掛刃２２又は刃受部２３の一対の電極間に接続されて、当該電極間の電源印加が停止された時に点灯する。非常灯部５０は、この例では、発光ダイオード５５ａ及び５５ｂを有し、停電時にこれらを発光させるように動作する。
【００５０】
発光ダイオード５５ａは、本体２１の斜め上方に面する２つの発光部取付面に、この例では２つずつ計４つ配され、停電時に斜め上方に向けて光を照射する。発光ダイオード５５ｂは、本体２１の斜め下方に面する２つの発光部取付面に、２つずつ計４つ配され、停電時に斜め下方に向けて光を照射する。このようにして、シーリングローゼットアダプタ２０が構成される。以下で、シーリングローゼットアダプタ２０の停電時の非常灯部５０による光の照射経路例について説明をする。
【００５１】
図７Ａ及びＢは、シーリングローゼットアダプタ２０の照射経路例を示す図である。図７Ａ及びＢに示すシーリングローゼットアダプタ２０は、天井１及び内壁５を有する構造物において、天井１のシーリングボディ２と照明器具４のシーリングキャップ３との間に取りつけられる（この取付方法に関しては、第１の実施例の図３に係る記述を参照されたい。）。図中の破線は停電時における発光ダイオード５５ａ及び５５ｂの光の照射経路を示すものである。また実際は、拡散された光等により複雑な照射がなされるが、ここでは説明の為に簡略化した照射経路を図示する。
【００５２】
図７Ａに示すシーリングローゼットアダプタ２０は、例えば木目のような中間色の天井１を有する構造物に設置された場合である。この場合は天井１の反射率が比較的低いので、シーリングボディ２とシーリングキャップ３との間に、シーリングローゼットアダプタ２０をそのまま取り付けるようにする。
【００５３】
このように取り付けられたシーリングローゼットアダプタ２０が停電時に点灯すると、
斜め上方に配された発光ダイオード５５ａから照射された光は、まず斜め上方の天井１に向かい、天井１で反射して角度を変えられる。この場合の天井１の反射率は比較的低いので、光量は少し減少する。その後反射した光は内壁５に向かって進行し、内壁５で反射して角度を変えられ、室内に到達する。
【００５４】
一方、斜め下方に配された発光ダイオード５５ｂから照射された光は、そのまま斜め下方の内壁５に向かい、内壁５で反射して角度を変えられ、室内に到達する。ここで内壁５が白色〜淡色で、かつシーリングローゼットアダプタ２０に近い距離に配置されている場合は、室内の比較的低い位置に、多くの光を到達させることができる。
【００５５】
図７Ｂに示すシーリングローゼットアダプタ２０は、例えば化粧石膏ボードのような白色〜淡色の天井１に取付けられている場合である。この場合は、天井１の反射率が比較的高いので、シーリングローゼットアダプタ２０を上述の図７Ａと同様に取り付けても、充分な照射光を確保できる。しかし、シーリングローゼットアダプタ２０に反射板２４を取り付けると、照射光の明るさを更に向上させることができる。
【００５６】
反射板２４は中心部にシーリングローゼットアダプタ２０を係合させる為の長方形の孔を開口した薄型の所定形状になされ、上面は鏡面状に、下面は天井１と同化する色調に加工される。反射板２４は、開口された孔の側面を、例えばゴムパッキンのような素材で構成されて、シーリングローゼットアダプタ２０の下部付近に固定される。
【００５７】
このように反射板２４を取り付けられたシーリングローゼットアダプタ２０の、斜め下方に配された発光ダイオード５５ｂから照射された光は、まず、反射板２４に向かい、反射板２４で反射して角度を変えられる。反射板２４は反射率が高いので、光量の減少が少なく、多くの光が天井１に向かって進行する。反射板２４で反射した光は天井１で更に反射して角度を変えられる。この場合の天井１の反射率も比較的高いので、ここにおいても光量の減少が少ない。天井１で反射した光は、この例では内壁５に向けられ、内壁５で反射して室内に到達する。
【００５８】
一方、斜め上方に配された発光ダイオード５５ａから照射された光は、図７Ａの場合と同様にして室内に到達する。ただしこの場合における天井１の反射率は比較的高いので、図７Ａの場合よりも多くの光が室内に到達する。
【００５９】
このように、第２の実施例に係るシーリングローゼットアダプタ２０によれば、発光ダイオード５５ａ及び５５ｂが、天井１及び内壁５に向けて斜め方向の光を照射するようになる。従って、所定の角度をもって反射する光により、効率よく室内を照らすことができる。
【００６０】
また、反射板２４を配置することにより、斜め下方に向けて照射される発光ダイオード５５ｂの光が、所定の角度をもって天井１に向けられるようになるので、天井１の反射率を有効に利用して、効率よく室内を照明することができる。
【実施例３】
【００６１】
図８は、本発明に係る第３の実施例としてのシーリングローゼットアダプタ３０の構成例を示す斜視図である。図８に示すシーリングローゼットアダプタ３０は、非常灯付き接合器のその他の一例を構成し、本体３１、引掛刃３２、刃受部３３、図示しない非常灯部５０を備え、第１及び第２の実施例と同様に、シーリングボディ２とシーリングキャップ３との間に係合される。
【００６２】
本体３１は、本体部の一例を構成し、上部の電極取付面に一対のＬ字型の引掛刃３２を、下部の電極取付面に一対の刃受部２３を備えるとともに、内部に図示しない非常灯部５０を備える。また、この例の本体３１は、側面に、透明体３１ａ及び反射体３１ｂを備えるようになされる。
【００６３】
透明体３１ａは、耐熱性及び絶縁性に優れた透過素材、例えば透明な強化プラスチックで構成される。透明体３１ａは、上部と下部を開口された筒状の殻構造に形成され、上部の電極取付面及び下部の電極取付面を除いた側部を覆うようにして本体３１に取り付けられる。ここで殻構造とは、内部に空間を有する容器形状の構造をいう。また、この例の透明体３１ａは、表面を例えばカットグラスのような凹凸形状に加工され、透過する光を屈折させる。
【００６４】
透明体３１ａの内側には、非常灯部５０の発光部を構成する発光ダイオード５５が納められる。発光ダイオード５５からの光は透明体３１ａを透過して、屈折して外部に照射されるようになる。発光ダイオード５５の内側には、この例では更に反射体３１ｂが備えられる。
【００６５】
反射体３１ｂは例えば表面が凹形の鏡面状に形成され、発光ダイオード５５の光を反射させる。発光ダイオード５５が発光すると、反射体３１ｂに向けた光が反射されて、外部へと照射されるようになる。
【００６６】
このように、第３の実施例に係るシーリングローゼットアダプタ３０によれば、発光ダイオード５５の光が、反射体３１ｂで反射するとともに、透明体３１ａで屈折して照射されるようになる。従って、多くの光を外部に向けて照射できるとともに、光を分散させて様々な方向に向けて照射できるので、天井１、内壁５の反射率等に関わらず効率よく室内を照明できる。
【００６７】
また、殻構造の透明体３１ａを備え、その内部で発光ダイオード５５を発光させることにより、本体３１の表面積を最大限に利用して光を照射できるので、外観形状の小型化を図りつつも効率よく室内を照明できる。
【産業上の利用可能性】
【００６８】
この発明は、非常用照明機能を備えたシーリング用のプラグコンセントに適用して、極めて好適である。
【図面の簡単な説明】
【００６９】
【図１】引掛シーリングローゼット１００の構成例を示す斜視図である。
【図２】第１の実施例としてのシーリングローゼットアダプタ１０の構成例を示す斜視図である。
【図３】シーリングローゼットアダプタ１０の取付例を示す斜視図である。
【図４】非常灯部５０の構成例を示す回路図である。
【図５】非常灯部５０の停電時の動作例を示す回路図である。
【図６】第２の実施例としてのシーリングローゼットアダプタ２０の構成例を示す斜視図である。
【図７】（Ａ）及び（Ｂ）は、シーリングローゼットアダプタ２０の照射経路例を示す図である。
【図８】第３の実施例としてのシーリングローゼットアダプタ３０の構成例を示す斜視図である。
【符号の説明】
【００７０】
１・・・天井、２・・・シーリングボディ、３・・・シーリングキャップ、４・・・照明器具、５・・・内壁、１０、２０、３０・・・シーリングローゼットアダプタ、１１、２１、３１・・・本体、１２、２２、３２・・・引掛刃、１３、２３，３３・・・刃受部、２４・・・反射板、５０・・・非常灯部、５１・・・二次電池、５３・・・検出回路、５４・・・スイッチ、５５・・・発光ダイオード、１００・・・引掛シーリングローゼット
【図１】
2008098102.tif 000003
【図２】
2008098102.tif 000004
【図３】
2008098102.tif 000005
【図４】
2008098102.tif 000006
【図５】
2008098102.tif 000007
【図６】
2008098102.tif 000008
【図７】
2008098102.tif 000009
【図８】
2008098102.tif 000010